(57)【要約】  【課題】蓄光性蛍光体を利用した避難誘導用手段として、施工時の現場適応性に優れ、低コストで供給できる実用性の高い避難誘導用パネルを提供する。  【解決手段】モルタルまたはコンクリートなどからなる円形のパネル１の内側に避難方向を示す矢印２などの表示を設ける。矢印２部分には蓄光性蛍光体を混ぜ込んで成形した蛍光骨材３を用い、その外側には同系統の色の非蛍光性の骨材４を用いる。周囲が明るい状態では蛍光骨材３と非蛍光性の骨材４が同系統の色であることから、矢印２が目立たない。電源が落ちた状態になると、蛍光骨材３を含む矢印２部分が光り、停電時、特に災害時などにおいて避難方向を指示することができる。  【選択図】  図１
2007224680.tif 000002
【特許請求の範囲】
【請求項１】
床面または路面に埋め込み可能とした避難誘導用パネルであって、パネルの面内内側に避難方向を知らせるための表示が蓄光性蛍光体によって形成されていることを特徴とする避難誘導用パネル。
【請求項２】
前記表示部分および表示部分以外を含む全体平面形状が円形であることを特徴とする請求項１記載の避難誘導用パネル。
【請求項３】
前記パネルがセメント系材料から製造され、前記蓄光性蛍光体を含む材料を骨材の一部として混入してあることを特徴とする請求項１または２記載の避難誘導用パネル。
【請求項４】
前記蓄光性蛍光体による表示部分と表示部分の外側とを近似色にして、周囲が明るい状態では前記表示部分が目立たないようにしてあることを特徴とする請求項１、２または３記載の避難誘導用パネル。
【請求項５】
床面または路面に所要深さの穴を穿設し、前記穴に請求項１、２、３または４記載の避難誘導用パネルを設置することを特徴とする避難誘導用パネルの施工方法。
【発明の詳細な説明】
【技術分野】
【０００１】
本発明は、蓄光性蛍光体を利用した避難誘導用パネルおよびその施工方法に関するもので、例えば地下鉄や地下街、建物内の床面あるいは野外の路面などに設置し、非常の停電時などに避難方向を知らせるために用いられる。
【背景技術】
【０００２】
例えば、自然災害や事故により停電した場合、特に地下鉄や地下街では避難しようとする人々がパニック状態に陥り、その被害が甚大になる恐れがある。通常の停電の場合は、予備の電源による非常灯や音声の誘導により対処できるとしても、大地震や大事故の場合、これらが全く機能しないことも想定される。
【０００３】
このような問題に対し、特許文献１には、電源を用いなくとも暗闇の中で各種の表示が行なえ、停電時の避難誘導などに役立つ蓄光性蛍光体埋設コンクリート構造物として、蓄光性蛍光体を混入してなる透光性の樹脂体を矢印など所定の形状に形成し、コンクリート構造物内に埋設し、その樹脂体の一部をコンクリート構造物の表面に露出させたものが記載されている。
【０００４】
その場合の樹脂体の形態としては、シート状のものや粒状のものが記載されており、粒状の樹脂体の場合にはそれをコンクリートタイルの表面に例えば矢印などの形状に露出させるとしている。
【０００５】
また、特許文献２にも同様の目的で使用される発光表示用路面部材として、アルミン酸塩系の蓄光性蛍光体をセラミックスあるいは樹脂で包んだ粒状の発光体を路面部材の表面に固着させたものが記載されている。
【０００６】
【特許文献１】特開平０８−３０２６２９号公報
【特許文献２】特許第３５８０６５３号公報
【発明の開示】
【発明が解決しようとする課題】
【０００７】
上述した特許文献１、２に記載のものは、非常時において電源を必要とせず、メンテナンスも特には必要としないため、予備の電源が機能しないなど万一の事態において有効な避難誘導手段となり得る。
【０００８】
しかしながら、床面あるいは路面用のブロックは、ある程度寸法等が規格化されているものの、材質や色、表面の粗度など種々のものが使用されているため、実際に施工する場合、それぞれの現場で敷設される他のブロックと調和させる必要があり、そのためには現場ごとに異なる製品を生産するか、またはあらかじめ多種のものを用意しておく必要があり、コストが高くつく。
【０００９】
また、床面あるいは路面用のブロックを新たに敷設する場合や、全面改修する場合にはそれほど問題がないとしても、規格化したブロックを既存の床面や路面に後から部分的に設置する場合には、施工が困難であったり、無駄が多くなるといった問題がある。
【００１０】
また、蓄光性蛍光体を利用したものは、メンテナンスの手間や電源を必要としないメリットがある反面、点滅や文字の切替え表示などはできないため、避難方向の表示としては矢印が一般的である。その場合、平面形状が正方形またはそれに近い形状となるブロックでは、施工時に矢印の方向を調整することができず、例えば避難方向が斜め方向となる位置では、斜め誘導専用のブロックを用意しなければならないなどの不便があり、コスト面でも施工面でも合理的ではない。
【００１１】
本発明は、蓄光性蛍光体を利用した避難誘導用手段について、従来技術における上述のような課題の解決を図ったものであり、施工時の現場適応性に優れ、低コストで供給できる実用性の高い避難誘導用パネルを提供することを目的としている。
【課題を解決するための手段】
【００１２】
本願の請求項１に係る発明は、床面または路面に埋め込み可能とした避難誘導用パネルであって、パネルの面内内側に避難方向を知らせるための表示が蓄光性蛍光体によって形成されていることを特徴とするものである。
【００１３】
本発明では、主として地下鉄構内や地下街などの床面に敷設されている既設のブロックに穿孔機などでコア抜きを行い、その穴に本発明のパネルを嵌め込んで固定することを想定している。
【００１４】
蓄光性蛍光体は必要な輝度や発光時間が得られるものであれば特に限定されず、市販のものが利用できる。例えば特許文献１、２に記載されているように無機質の発光体を樹脂あるいはセラミックスなどに含有させて粒状に成形したものや破砕したものなどをパネル成形の際に、矢印等、避難方向を指示する表示の形に配置することで、昼間の照明の明かりなどで励起状態に押し上げられた電子からエネルギーが放出され、暗闇では避難表示部分のみが光って見えることになる。
【００１５】
なお、本発明の避難誘導用パネルの場合、上述のように主としてコア抜きの穴などに嵌め込んで設置することを想定しているため、床面がブロックである必要はなく、モルタルあるいはコンクリート面、タイル部分、また野外の路面舗装部分などに設置することもできる。
【００１６】
また、例えば新設の床面工事の場合などには、現場に使用する床面ブロックに本発明の避難誘導用パネルを工場であらかじめ埋め込んでおき、それを現場に運んで敷設するといったことも可能である。
【００１７】
請求項２は、請求項１に係る避難誘導用パネルにおいて、前記表示部分および表示部分以外を含む全体平面形状が円形である場合を限定したものである。
【００１８】
パネルの全体平面形状を円形とすれば、床面または路面に埋め込む際、円の中心回りに回転させることで、矢印などの表示の方向を容易に調整することができ、斜め方向の表示なども自由である。
【００１９】
請求項３は、請求項１または２に係る避難誘導用パネルにおいて、前記パネルがセメント系材料から製造され、前記蓄光性蛍光体を含む材料を骨材の一部として混入してある場合を限定したものである。
【００２０】
本発明の避難誘導用パネルが設置される床面あるいは路面が一般的なセメント系材料からなる場合、避難誘導用パネルもセメント系材料で製造すれば、床面あるいは路面における材質、強度、感触などのバラツキを抑えることができ、歩行における支障も少ない。
【００２１】
パネルをセメント系材料から製造する場合、蓄光性蛍光体は、骨材の形で混入させることができ、その配合量や密度を避難表示に合せて調整すればよい。
【００２２】
なお、避難誘導用パネルの上面が周りより突き出ていたり引っ込んでいたりすると、歩行者がつまずく恐れがあるので、埋め込んだ状態の避難誘導用パネルの上面はできるだけ周りの床面あるいは路面と一致させる必要がある。また、表面の粗度あるいは摩擦係数なども周囲との差が大きいと、スリップやつまずきの原因となるため、できるだけ周りと合せることが望ましい。
【００２３】
請求項４は、請求項１、２または３に係る避難誘導用パネルにおいて、前記蓄光性蛍光体による表示部分と表示部分の外側とを近似色にして、周囲が明るい状態では前記表示部分が目立たないようにしてある場合を限定したものである。
【００２４】
避難誘導用の表示は、非常時の暗闇で、避難方向を的確に示すことができるものでなければならないが、平常時の周囲が明るい状態で矢印等の表示あるいは非常時であることを知らせるための表示が目視されると却って混乱が生じることも考えられる。
【００２５】
これに対し、発光表示部分の色とその外周の色を同系統の近似色にすれば、平常時には目立たず無用な混乱が生じないようにすることができる。例えば、請求項２のようにパネルの全体平面形状が円形の場合、平常時の明るい状態では床面あるいは路面に円形の模様が見えるだけであり、非常時の暗闇で初めて表示部分が浮き上がって見えることになる。
【００２６】
本願の請求項５に係る避難誘導用パネルの施工方法は、床面または路面に所要深さの穴を穿設し、前記穴に請求項１、２、３または４記載の避難誘導用パネルを設置することを特徴とするものである。
【００２７】
穴の穿設は、床面または路面の材質に応じ、道路工事や建設工事で用いられているアスファルト用またはコンクリート用のコア・カッターの利用により簡単に行うことできる。
【００２８】
パネルの穴への固定はモルタルあるいは接着剤の使用により行うことができるが、穴の穿設方法や、パネルの固定方法は、特にこれらに限定されるものではない。
【発明の効果】
【００２９】
従来の蓄光性蛍光体を利用した避難誘導用手段も非常時において電源を必要とせず、メンテナンスも特には必要としないため、予備の電源が機能しないなど万一の事態において有効な避難誘導手段となり得るという効果はあるが、コスト面や施工性の面で広く普及させるのが難しかった。
【００３０】
これに対し、本発明によれば最小限の種類数のパネルで種々の条件に対応させることができ、製造面でも材料面でも無駄が少なく、低コストで供給できる。
【００３１】
また、低コストであることに加え、施工時の現場適応性にも優れるため、広く普及させることができるという実用性の面でもその効果が大きい。
【発明を実施するための最良の形態】
【００３２】
図１および図２は本発明を実施するための最良の形態として、駅のホームあるいは地下街などの路面ブロック１０に、本発明の避難誘導用パネル１としてモルタル製のパネルを設置する場合の形状の一例およびその施工手順の一例を示したものである。
【００３３】
この例は、平面形状が円形のモルタルパネルに避難誘導のマークとして最も一般的な矢印２を形成したものであり、矢印２部分の骨材としては、合成樹脂に酸化ストロンチウムなどの蓄光性蛍光体を加えて骨材の形態に成形あるいは破砕した蛍光骨材３を用い、その外側には同系統の色の非蓄光性の人工骨材４を用いてパネルを成形している。
【００３４】
同系統の色の骨材４を用いるのは、周囲が明るい状態では矢印が目立たないようにするためであり、明るい状態では避難誘導用パネル１が路面において円形の模様に見える。その状態で蓄光性蛍光体に可視光などからのエネルギーが吸収され、電子が励起状態となる。暗闇では、蓄光性蛍光体を含む矢印２部分が発光するため、電源が機能しなくなった場合の最後の手段として、避難誘導の機能が発揮される。
【００３５】
避難誘導用パネル１の製造においては、蓄光性蛍光体を加えた矢印２部分のみを成形した後、その外側の部分を成形することもできるが、蛍光骨材３および骨材４の移動を拘束して同時に成形することで生産効率を挙げることができる。蛍光骨材３および骨材４の移動の拘束はごく簡単な仕切りあるいは障害物などで行うことができ、成形の途中で外してもよいし、特に支障とならないものはそのままパネル内に埋め込んでしまってもよい。
【００３６】
寸法例としては、床面あるいは路面ブロック１０の表面に埋込むタイプのものは、直径１００〜２００ｍｍ、厚さ１５〜４０ｍｍ程度が望ましい。
【００３７】
路面ブロック１０に埋め込むタイプでは、ブロックの材質や性能にもよるが直径が２００ｍｍより大きくなると、本発明の避難誘導用パネル１が埋め込まれる路面ブロック１０の穿孔や加工の手間とコスト、また穿孔による強度の低下などが問題となり、またパネル自体に要求される強度やコストの面でも不利となる。
【００３８】
一方、直径が１００ｍｍより小さいと目視において目立たなくなり、避難誘導のマークとして十分機能しない恐れがある。また、モルタル製のパネルの場合、厚さが１５ｍｍより小さくなると、その上を台車など重量物が通過する際にひび割れが生じやすい等、十分な強度を確保するのが難しくなる。
【００３９】
また、パネル上を通行する歩行者に関しては、本発明の避難誘導用パネル１が床面あるいは路面からわずかでも突出していると、つまずいて転倒する恐れがあり、またパネル部分と周りのブロック部分とでスベリ抵抗に差があると、歩行者が滑ったりつまずいたりする原因になるため、必要に応じスベリ抵抗がほぼ等しくなるように研磨仕上げを行う場合もある。
【００４０】
施工手順としては、図２(a)のように路面に敷き詰められた既設の路面ブロック１０について、コンクリート用のコア・カッターなどを用い、図２(b)に示すように避難誘導用パネル１の直径および厚さに応じた径および深さの穴１１を穿孔する。
【００４１】
図２(c)に示すように穴１１に本発明の避難誘導用パネル１を嵌め込み、矢印２の向きを避難方向に合せて固定する。なお、必要に応じ接着用のモルタルまたは樹脂系接着剤などを用いる。
【００４２】
図２(d)は避難誘導用パネル１施工完了後の路面を示したものであり、電源が落ちた状態になると、蛍光骨材３を含む矢印２部分が光り、停電時、特に災害時などにおいて避難方向を指示することができる。
【００４３】
なお、以上は最良の形態として、モルタル製のパネルを穿孔した床面ブロックなどに設置する場合について説明したが、本発明の避難誘導用パネルの形態およびその施工方法はこれらに限定されるものではない。
【図面の簡単な説明】
【００４４】
【図１】本発明の避難誘導用パネルの一実施形態を示したもので、(a)は平面図、(b)は床面ブロックとの関係を示す透過斜視図である。
【図２】(a)〜(d)本発明の避難誘導用パネルの施工手順の一例を示す斜視図である。
【符号の説明】
【００４５】
１…避難誘導用パネル、２…矢印、３…蛍光骨材、４…骨材、
１０…路面ブロック、１１…穿孔部
【図１】
2007224680.tif 000003
【図２】
2007224680.tif 000004